(57)【要約】【課題】壁面の下部に設置され、床面を照射するための照明器具において、器具施工時の取付誤差があったとしても、施工後に光の照射範囲を調節することができるようにする。【解決手段】照明器具１は、光源２と、光源２を収納する器具本体３と、光源２の前方に設けられて光の照射を制御する透光部材４と、を備える。また、照明器具１は、器具本体３に対して回転自在に設けられた回転台５を備え、この回転軸５０には、透光部材４及び光源２を搭載し搭載される。回転台５は、光源２による照射面と略平行な回転軸５０を軸として回転自在に設けられているので、回転台５の回転位置を変えることにより、器具施工時の取付誤差があったとしても、施工後、器具間で光の照射範囲が等しくなるように容易に調節することができる。【選択図】図１
2008293907.tif 000002
【特許請求の範囲】
【請求項１】
光源と、前記光源を収納する器具本体と、前記光源の前方に設けられて光の照射を制御する透光部材と、を備えた照明器具において、
前記透光部材が搭載され、前記器具本体に対して回転自在に設けられた回転台を備え、
前記回転体は、光源による照射面と略平行となる軸回りに回転自在に設けられていることを特徴とする照明器具。
【請求項２】
前記回転台は、前記透光部材が搭載される第１の面と、該第１の面と略直交する第２の面を有し、
前記光源は前記第２の面に搭載されていることを特徴とする請求項１に記載の照明器具。
【請求項３】
前記第２の面は、前記器具本体の底面に近接するように配置されることを特徴とする請求項１又は請求項２に記載の照明器具。
【請求項４】
前記透光部材の前方には、前記回転台の軸と略直交な方向に形成されたスリットを有する遮光板が設けられたことを特徴とする請求項１乃至請求項３のいずれか一項に記載の照明器具。
【発明の詳細な説明】
【技術分野】
【０００１】
本発明は、壁面の下部に設置され、床面を照射するための照明器具に関する。
【背景技術】
【０００２】
従来から、壁面の下部に設置され、床面や地面等に光を照射することにより歩行者の足元を明るくする、いわゆるフットライト型の照明器具が知られている（例えば、特許文献１参照）。また、建物のエントランスやホテルの廊下等では、図６に示されるように、複数の照明器具１０１を壁面に配置することにより、単に歩行者の足元を明るくするだけでなく、照射面（床面）に帯長の光が一定間隔で照射されるような、演出的な照明が行われることがある。
【０００３】
このような照明では、照明器具の光源から出射された光が、適確に床面に照射されるように、適宜に配光を調整する必要がある。そこで、光源の前方に所定の光学特性を有する透光部材を配置して、この透光部材と光源との距離を可変とすることにより、光源からの出射光の配光を調整できるようにした照明器具が知られている（例えば、特許文献２参照）。
【特許文献１】特開２００６−３３１９８８号公報
【特許文献２】特開平６−５１０３号公報
【発明の開示】
【発明が解決しようとする課題】
【０００４】
しかしながら、図６に示されるように、複数の照明器具が比較的近接した間隔で設置されるとき、照明器具の施工時に取付誤差があると、照射器具毎に光の照射距離が変わってしまう。すると、床面において帯長の光が照射される長さが不揃いになり、見た目が悪くなる。ところが、従来の照明器具は、上述のように、近接した間隔で設置され、演出的な照明に適用されることを想定していないので、一般的に光の照射範囲は製品の出荷段階である程度定められていて、照明器具の取付後に光の照射範囲を微調節することができなかった。
【０００５】
本発明は、上記課題を解決するものであり、器具施工時の取付誤差があったとしても、施工後、器具間で光の照射範囲が等しくなるように容易に調節することができる照明器具を提供することを目的とする。
【課題を解決するための手段】
【０００６】
上記課題を解決するため、請求項１の発明は、光源と、前記光源を収納する器具本体と、前記光源の前方に設けられて光の照射を制御する透光部材と、を備えた照明器具において、前記透光部材が搭載され、前記器具本体に対して回転自在に設けられた回転台を備え、前記回転体は、光源による照射面と略平行となる軸回りに回転自在に設けられているものである。
【０００７】
請求項２の発明は、請求項１に記載の照明器具において、前記回転台は、前記透光部材が搭載される第１の面と、該第１の面と略直交する第２の面を有し、前記光源は前記第２の面に搭載されているものである。
【０００８】
請求項３の発明は、請求項１又は請求項２に記載の照明器具において、前記第２の面は、前記器具本体の底面に近接するように配置されるものである。
【０００９】
請求項４の発明は、前記透光部材の前方には、前記回転台の軸と略直交な方向に形成されたスリットを有する遮光板が設けられているものである。
【発明の効果】
【００１０】
請求項１の発明によれば、照明器具の施工時に取付誤差があったときでも、回転台の回転位置を調節することにより、回転台に搭載された光源からの光の出射角度が変わり、照射光の配光を施工後に調節することができ、器具間での光の照射範囲を等しくすることができる。
【００１１】
請求項２の発明によれば、透光部材と光源との相対距離は変化しないので、回転台の回転位置の変化によって光の利用効率が低下することがない。
【００１２】
請求項３の発明によれば、光源から出射した光のうち、回転台によって反射された光が照射面方向とは異なる方向へ出射されるので、照射面に光ムラを生じることがない。
【００１３】
請求項４の発明によれば、回転台の回転位置の調節に誤差があったときでも、遮光板により光の照射範囲は制限されるので、照射面の美観を大きく損うことがない。
【発明を実施するための最良の形態】
【００１４】
以下、本発明の一実施形態に係る照明器具について、図１、図２（ａ）乃至（ｃ）及び図３を参照して説明する。本実施形態の照明器具１は、壁の所定箇所に埋め込まれた埋込箱１０に取り付けられ、光源２と、光源２を収納する器具本体３と、光源２の前方に設けられて光の照射を制御する透光部材４と、を備える。また、照明器具１は、上記の光源２及び透光部材４が搭載され、器具本体３に対して回転自在に設けられた回転台５をさらに備える。透光部材４の前方には、スリット７２を有する遮光板７３を備えた化粧枠７が設けられる。なお、図１において、器具本体３及び埋込箱１０の図示を省略している。
【００１５】
回転台５は、光源２による照射面と略平行となる回転軸５０を有し、この回転軸５０を挟んで、第１の面５１と第２の面５２とが夫々略直交するように配置されている。上記の光源２は第１の面５１に、透光部材４は第２の面に搭載される。また、第２の面５２は、透光部材４を透過した光を放射するための開口部５３を有している。
【００１６】
光源２は、ソケット２１を介して回転台５の第２の面５２に搭載される。第２の面５２は、ソケット２１の下面部とネジ止めするためのネジ穴が形成されており、ソケット２１は、第２の面５２の下方からネジ（図示せず）により回転台５に固定される。また、ソケット２１は、光源２と電気的に接続された配線２２を備え、この配線２２は、光源２を点灯制御するための点灯回路２３に接続されている。
【００１７】
透光部材４は、図３に示されるように、光源２から出射された光を光学制御するための平凸レンズ（シリンドリカルレンズ）であり、レンズホルダ４０によって回転台５の第１の面５１に搭載される。レンズホルダ４０は、透光部材４の形状に適合するように形成されていて、光源２からの光を透光部材４へ入射させるために開口部を有する凸部４１と、レンズホルダ４０を第１の面５１に固定するための固定部４２を有する。レンズホルダ４０は、固定部４２と第１の面５１とがネジ止めされることにより回転台５に固定される。また、透光部材４は、レンズホルダ４０と第２の面５２との間で挟持される。
【００１８】
回転台５の回転軸５０は、その両端が器具本体３の内側面に固定されている。この回転軸５０を軸として、回転台５は、器具本体３内において、光の出射方向に対して上下に首振り自在となる。また、回転台５は、回転台固定具６を介して、器具本体３の内側面と第１の面５１の上部とが夫々ネジ６０，６１によりネジ止めされることにより、器具本体３に対して所定の回転位置で固定される。
【００１９】
回転台固定具６は、その側断面が略Ｌ字形状となるように形成された薄板から成り、器具本体３の内側面と係合する面６２と、回転台５の第１の面５１と係合する面６３と、を有する。また、面６２は、回転軸５０と同心円形状に形成された調整穴６４を有する。回転台５は、ネジ６０が緩められると、調整穴６４の長さの範囲において、回転軸５０を軸としてその回転位置が可変となる。そのため、上記のネジ６０を緩めて、図２（ａ）に示されるように、回転台５の回転位置を調節することにより、回転台５の第２の面５２に搭載された光源２からの光の出射角度が変わり、照射光の配光を微調節することができる。回転台５を適宜の回転位置の調節が完了した後に、ネジ６０を締めて回転台５をしっかりと固定する。この構成により、照明器具１は、照明器具の施工時に取付誤差があったときでも、回転台５の回転位置を調節することにより、施工後に器具間での光の照射範囲を等しくすることができる。
【００２０】
一般に、透光部材４及び光源２の配置は、光源２からの出射光を最も効率よく利用できるように設定される。本実施形態の照明器具１においては、上述のように、回転台５の第１の面５１に透光部材４が、第２の面５２に光源２が搭載されるので、回転台５の回転位置が変化しても、透光部材４と光源２との相対距離は変化しない。そのため、照射光の配光を変化させても、予め設定された光の利用効率を低下させることがない。
【００２１】
また、照明器具１において、第２の面５２は、器具本体３の底面に近接するように配置されることが望ましい。例えば、図４に示されるように、第２の面５２が、器具本体３の天井面に近接するように配置されていると、図中の２点鎖線矢印で示されるように、光源２から出射した光のうち、第２の面５２で反射された光が地面方向に照射されるので、照射面に光ムラを生じることがある。これに対して、第２の面５２が、図２（ａ）に示されるように、器具本体３の底面に近接するように配置されると、図中の破線矢印で示されるように、光源２から出射した光のうち、第２の面５２で反射された光が上方に照射され、床面方向には照射されないので、照射面に光ムラを生じることがない。
【００２２】
化粧枠７は、ガラス７１と、その内面に併設され、回転台５の回転軸５０と略直交な方向に形成されたスリット７２を有する遮光板７３と、それらを挟持して、器具本体３に固定するための枠体７４等から成る。このスリット７２を有する遮光板７３が設けられることにより、回転台５の回転位置の調節に誤差があったときでも、光の照射範囲は制限されるので、照射面における美観を大きく損なうことはない。また、上述の図２（ａ）破線矢印で示した、第２の面５２で反射され、上方に向かう光を遮断することができる。
【００２３】
なお、照明器具１は、ネジ６０，６１のいずれかを外して、回転台固定具６による回転台５の固定を解除して、図５に示されるように、回転軸５０を軸として、回転台５の第２の面５２を器具本体３の開口側に引き寄せることにより、光源２のランプを容易に交換することができる。
【００２４】
なお、本発明は、上記構成に限られることなく、種々の変形が可能であり、光源及び透光部材が搭載される回転台を備え、この回転台の回転位置を調節することにより、光の照射範囲を調節することができる種々の照明器具に適用され得る。
【図面の簡単な説明】
【００２５】
【図１】本発明の一実施形態に係る照明器具の分解斜視図。
【図２】（ａ）は同照明器具の側断面図、（ｂ）は同照明器具の正面図、（ｃ）は化粧枠を外した状態の同照明器具の正面図。
【図３】同照明器具の回転台及びそれに搭載される光源及び透光部材を示す斜視図。
【図４】同照明器具の好ましくない実施形態を示す側断面図。
【図５】同照明器具のランプ交換時における側断面図。
【図６】フットライト型の照明器具の施工例を示す図。
【符号の説明】
【００２６】
１    照明器具
２    光源
３    器具本体
４    透光部材
５    回転台
５０  回転軸
５１    第１の面
５２    第２の面
６  回転台固定具
７    化粧枠
７２    スリット
７３    遮光板
【図１】
2008293907.tif 000003
【図２】
2008293907.tif 000004
【図３】
2008293907.tif 000005
【図４】
2008293907.tif 000006
【図５】
2008293907.tif 000007
【図６】
2008293907.tif 000008